【事件の表示】
　特許第２７３５３３０号　「金属ストリップの蛇行防止用ロールおよび蛇行防止装置」の特許に対する特許異議の申立てについて、次のとおり決定する。
【結　論】
　訂正を認める。
　特許第２７３５３３０号の特許を維持する。
【理　由】
　（理由）
（１）手続の経緯
  特許第２７３５３３０号に係る主な手続きの経緯は、以下のとおりである。
特許出願　　　　　平成　１年１２月２６日
特許権設定登録　　平成１０年１月９日
特許公報発行日    平成１０年４月２日
特許異議の申立て  平成１０年９月２４日
取消理由通知      平成１１年４月２０日
特許異議意見書　　平成１１年７月２３日
取消理由通知      平成１１年９月３日
特許異議意見書　　平成１１年１１月２４日  　
訂正請求書        平成１１年１１月２４日
訂正拒絶理由通知  平成１２年１月１２日
手続補正書        平成１２年１月２０日
（２）訂正の適否の判断
ア．訂正請求に対する補正
  平成１２年１月２０日付け手続補正書による補正の内容は、以下のａ〜ｄのとおりである。
　ａ．平成１１年１１月２４日付け訂正請求書に添付された訂正明細書（以下、「訂正明細書」という。）の請求項１、２に係る記載「ロ−ルの中央部から板幅方向に対し左右対称に０．３°〜２°の角度を有するくの字の傾角を設けた曲折部を単数または複数箇所に設けた鉄芯を備え、該鉄芯に複数の軸受を設け、該軸受の外周にゴムスリ−ブを装着」を「ロ−ルの中央部から板幅方向に対し左右対称に０．３°〜２°の角度を有するくの字の傾角を設けた曲折部を単数または複数箇所に設けた鉄芯を備え、該鉄芯に複数の軸受を設け、該複数の軸受外周のロ−ル全長にわたる全面にゴムスリ−ブを装着」と補正する。
ｂ．訂正明細書の第２ペ−ジ第１３行〜第１６行の記載「本発明の要旨とするところは、ロ−ルの中央部から板幅方向に対し左右対称に０．３°〜２°の角度を有するくの字の傾角を設けた曲折部を単数または複数箇所に設けた鉄芯を備え、該鉄芯に複数の軸受を設け、該軸受の外周にゴムスリ−ブを装着」を「本発明の要旨とするところは、ロ−ルの中央部から板幅方向に対し左右対称に０．３°〜２°の角度を有するくの字の傾角を設けた曲折部を単数または複数箇所に設けた鉄芯を備え、該鉄芯に複数の軸受を設け、該複数の軸受外周のロ−ル全長にわたる全面にゴムスリ−ブを装着」と補正する。
ｃ．訂正明細書の第３ペ−ジ第２３行〜２５行の記載「また、必要に応じてロ−ル曲折部を左右対象」を「また、必要に応じてロ−ル曲折部を左右対称」に補正する。
ｄ．訂正明細書第３ペ−ジ第１７、２１、２４−２５行の記載「ゴム９」を「ゴムスリ−ブ９」に補正する。
イ．補正の適否について
 そこで補正の適否を検討するに、まず、上記補正事項ａである「ロ−ルの中央部から板幅方向に対し左右対称に０．３°〜２°の角度を有するくの字の傾角を設けた曲折部を単数または複数箇所に設けた鉄芯を備え、該鉄芯に複数の軸受を設け、該複数の軸受外周のロ−ル全長にわたる全面にゴムスリ−ブを装着」という事項は、訂正明細書の発明の詳細な説明の「くの字ロ−ル８は複数の軸受１１を、鉄芯１０とロ−ル表面素材、一般的にはゴム９との間に内蔵し、鉄芯１０は両軸端１３，１４で固定されている。鉄芯１０は、くの字の傾角を持つが、この角度は０．３°から２°程度の範囲で選定することが、蛇行矯正効果とロ−ル一回転毎に引張り・圧縮の負荷を受けるゴム９の耐久性および過剰なセンタリング効果からの絞り発生といった観点から、妥当なところと言える。」との記載及び図面第４図の記載を補正の根拠とするものであるといえる。       
　してみれば、上記ａの補正は、訂正明細書の請求項１、２に記載された金属ストリップの蛇行防止用ロ−ルの構成をさらに限定したものといえるから、特許請求の範囲の減縮に該当するものである。
　また、上記ｂ、ｄの補正は特許請求の範囲の補正に合わせて発明の詳細な説明の記載を補正するもので明りょうでない記載の釈明を目的とするものであり、上記ｃの補正は単なる誤記の訂正に該当する。
　そしてこれらの補正ａ〜ｄは新規事項の追加に該当せず、また、実質上特許請求の範囲を拡張し、又は変更するものでもない。
  よって、訂正請求に対する上記補正は、訂正請求の要旨を変更するものではないから、特許法第１２０条の４第３項において準用する同法第１３１条第２項の規定に適合する。
ウ．訂正の内容
１）上記補正が認められることにより、特許権者が求めている訂正の内容は、下記ａ〜ｄのとおりである。         
ａ．願書に添付した明細書（以下、「特許明細書」という。）の特許請求の範囲の請求項１、２に係る記載「ロ−ルの中央部から板幅方向に対し左右対称に曲折部を単数または複数箇所に設けた鉄芯を備え、該鉄芯に複数の軸受を設け、該軸受の外周にゴムスリ−ブを装着」を「ロ−ルの中央部から板幅方向に対し左右対称に０．３°〜２°の角度を有するくの字の傾角を設けた曲折部を単数または複数箇所に設けた鉄芯を備え、該鉄芯に複数の軸受を設け、該複数の軸受外周のロ−ル全長にわたる全面にゴムスリ−ブを装着」と訂正する。
ｂ．特許明細書の第３ペ−ジ第１９行〜第４ペ−ジ第２行（特許公報第２ペ−ジ第３欄第１８行〜第２１行）の「本発明の要旨とするところは、ロ−ルの中央部から板幅方向に対し左右対称に曲折部を単数または複数箇所に設けた鉄芯を備え、該鉄芯の複数の軸受を設け、該軸受の外周にゴムスリーブを装着」を「本発明の要旨とするところは、ロ−ルの中央部から板幅方向に対し左右対称に０．３°〜２°の角度を有するくの字の傾角を設けた曲折部を単数または複数箇所に設けた鉄芯を備え、該鉄芯に複数の軸受を設け、該複数の軸受外周のロ−ル全長にわたる全面にゴムスリ−ブを装着」と訂正する。
ｃ．特許明細書の第６ペ−ジ第１７行（特許公報第２ペ−ジ４欄第２１行）の「また、必要に応じてロ−ル曲折部を左右対象」を「また、必要に応じてロ−ル曲折部を左右対称」に訂正する。
ｄ．特許明細書の第６ペ−ジ第９、１４、１８行（特許公報第２ペ−ジ４欄第１４、１８、２２行）の「ゴム９」を「ゴムスリ−ブ９」に訂正する。
２）訂正の適否、新規事項の有無及び拡張・変更の存否
  訂正事項１）ａは特許請求の範囲に記載された「蛇行防止ロール」をより具体的な形状に規定したものであり、そして、上記訂正事項１）ａに関連する記載として、特許明細書の発明の詳細な説明及び第４図に、「くの字ロ−ル８は複数の軸受１１を、鉄芯１０とロ−ル表面素材、一般的にはゴム９との間に内蔵し、鉄芯１０は両軸端１３，１４で固定されている。鉄芯１０は、くの字の傾角１８を持つが、この角度は０．３°から２°程度の範囲で選定することが、蛇行矯正効果とロ−ル一回転毎に引張り・圧縮の負荷を受けるゴム９の耐久性および過剰なセンタリング効果からの絞り発生といった観点から、妥当なところと言える。」が記載されている。
  したがって、上記１）ａの訂正は、特許明細書に記載された範囲内において金属ストリップの蛇行防止用ロ−ルの構成をさらに限定したものといえるから特許請求の範囲の減縮を目的とする訂正に相当する。
  訂正事項１）ｂ，ｄは特許請求の範囲の訂正に合わせて発明の詳細な説明の記載を訂正するもので明りょうでない記載の釈明を目的とするものであり、上記１）ｃの訂正は単なる誤記の訂正に該当する。
　そしてこれらの訂正１）ａ〜ｄは新規事項の追加に該当せず、また、実質上特許請求の範囲を拡張し、又は変更するものでもない。
エ．独立特許要件
（本件発明）
  訂正後の特許請求の範囲の請求項１、２、３に記載された事項を構成とする発明はそれぞれ次の通りのものである。
「１．ロ−ルの中央部から板幅方向に対し左右対称に０．３°〜２°の角度を有するくの字の傾角を設けた曲折部を単数または複数箇所に設けた鉄芯を備え、該鉄芯に複数の軸受を設け、該複数の軸受外周のロール全長にわたる全面にゴムスリ−ブを装着してなる金属ストリップの蛇行防止用ロ−ル。
　２．ロ−ルの中央部から板幅方向に対し左右対称に０．３°〜２°の角度を有するくの字の傾角を設けた曲折部を単数または複数箇所に設けた鉄芯を備え、該鉄芯に複数の軸受を設け、該複数の軸受外周のロール全長にわたる全面にゴムスリ−ブを装着してなる金属ストリップの蛇行防止用ロ−ルを設け、該ロ−ルに開閉可能とする開閉機構を設けてなる金属ストリップの蛇行防止装置。
　３．ロ−ルの一端を軸に回動自在とする回動機横を設けてなる特許請求の範囲第２項記載の金属ストリップの蛇行防止装置。」
 （上記訂正後の請求項１、２、３に係る発明を、以下、「本件請求項１、２、３に係る発明」という。）
（引用刊行物）
　本件請求項１、２、３に係る発明に対して、当審が平成１１年９月３日付けで通知した取消理由で引用した刊行物１〜３には、それぞれ以下の点が記載されている。
刊行物１（特開昭６２−２４６６１７号公報）には、第２頁右上欄第１７−１９行に「圧延板等１枚ものの通過物に適用した場合には別途の蛇行修正手段を用いずにほどんど蛇行のない状態で走行させることができる」点が、第３頁左上欄第１５−１８行に「ロ−ル昇降部２７，２８は、支持部材３２に軸回転可能に固定された下側の曲軸胴太ロ−ル３に対し、上側の曲軸胴太ロ−ル２を昇降するためのものである」点が、第３頁左下欄第１６行に「ゴムなどからなるロ−ラ」である点がそれぞれ記載されている。
刊行物２（特開昭６２−３１６５０号公報）には、
　第１頁右下欄第５一１６行および第２，３図に
「現在、例えば連続酸洗ラインの酸洗槽で用いら
れるストリップ蛇行制御装置として、槽出側のリンガロ−ルをステアリング化したピンチロ−ル方式のリンガロ−ルＣＰＣ（ｃｅｎｔｅｒ　ｐｏｓｉｔｉｏｎ　ｃｏｎｔｒｏｌ）装置が存在する。このリンガロ−ルＣＰＣ
装置で通常とられているステアリング方式は、第３図に示す如く、ストリップ１０を、フレ−ム１５に支持され、ラインの片側に傾動中心１６を有するリンでガロ−ル１２に巻き掛けて矢印Ａ方向に通板し、その際、油圧シリンダ１４により前記リンガロ−ル１２を傾動させて、ストリップ１０の幅方向通過位置を変化させるものである。」点が記載されている。
刊行物３（特開昭５９−１１８６５１号公報）には、「蛇行防止ロ−ルとして第５図に示すように、
ロ−ル軸を複数箇所で曲折したり、湾曲軸ロ−ル
とする」点が記載されている。
（対比・判断）
　本件請求項１、２、３に係る発明と刊行物１〜３に記載された発明とを対比すると、刊行物１〜３のいずれにも、本件請求項１，２に係る発明の構成である「ロ−ルの中央部から板幅方向に対し左右対称に０．３°〜２°の角度を有するくの字の傾角を設けた曲折部を単数または複数箇所に設けた鉄芯を備え、該鉄芯に複数の軸受を設け、該複数の軸受外周のロ−ル全長にわたる全面にゴムスリ−ブを装着」する構成（以下、構成Ａという。）が記載されていない。そして、当該構成により、本件請求項１、２に係る発明は、従来技術の問題点であった、ａ）「クラウンロ−ルを用いた場合に生じる板中央の張力アップから板に傷を付ける等で矯正力に限界がある」点、ｂ）「ステアリング装置はセンサ−、油圧システムが必要なため高コスト装置になる」点、ｃ）「サポ−トロ−ルのように平行度を変えるのは蛇行矯正効果が大きいので、ロ−ルのアライメント修正等でよく利用されるが、分割ロ−ルはストリップの品質が厳しいラインではロ−ル境界のマ−クが問題になる」点、ｄ）「一本ロ−ルの場合では常にセンタリング力は働かないし、アライメント修正にはライン停止を余儀なくされる」点を解決し、「常時センタリングのアライメントでは、約２０％の改善、ロ−ルアライメント操作をしたときは、約４０％の蛇行防止効果があることを示し、ラインの安定操業に寄与できる」という顕著な効果を奏するものであるから、本件請求項１、２に係る発明は、上記刊行物１〜３に記載のものから当業者が容易に発明をすることができたものではない。
  また、本件請求項３に係る発明は、本件請求項２に係る発明の構成をすべて備えた上で、さらに限定を加えたものであるところ、この限定した構成が前記刊行物１〜３のいずれかに記載されているとしても、前記のとおり本件請求項２に係る発明が前記刊行物１〜３に記載されたものに基づき当業者が容易に発明をすることができない以上本件請求項３に係る発明も、前記刊行物１〜３に記載のものから当業者が容易に発明をすることができたものではない。
  よって、本件請求項１〜３に係る発明は、特許出願の際独立して特許を受けることができないものとはいえない。
  また、他に本件請求項１〜３に係る発明が特許出願の際独立して特許を受けることができないとする理由を発見しない。
オ．むすび
   以上のとおりであるから、上記訂正は特許法第１２０条の４第２項及び同条第３項において準用する第１２６条第２〜４項の規定に適合するので当該訂正を認める。
（３）特許異議の申立てについて
ア．本件発明
  本件請求項１、２、３に係る発明は、前記のように訂正が認められるから、前記（２）エの（本件発明）の項の請求項１、２、３に記載されたとおりのものである。
イ．申立ての理由の概要　
  特許異議申立人住友金属工業株式会社は、本件請求項１、２、３に係る発明は、甲第１〜３号証に記載された発明に基づいて当業者が容易に発明をすることができたものであり、特許法第２９条第２項に規定する発明に該当し、請求項１、２、３に係る発明の特許は特許法第１１３条第２号に該当するので取り消されるべきものであると主張している。
ウ．申立ての証拠
  申立人の提出した証拠は以下のとおりである。
　甲第１号証　特開昭６２−２４６６１７号公報
　甲第２号証  特開昭６３−２７３５０４号公報
　甲第３号証  特開昭６２−３１６５０号公報
エ．甲各号証の記載事項
  甲第１号証、甲第３号証は、それぞれ（２）エ．で示した刊行物１、刊行物２であり前記「（２）エ．」に記載したとおりの事項が記載されている。
　甲第２号証には、第３頁右下欄第５−１６行および第1図（Ａ）、（Ｂ）並びに第２図（Ａ）、（Ｂ ）に「上述の第１図（Ａ ），（Ｂ）に示す口−ル構造では、ワ−クロ−ルに接する外輪（スリ−ブ）が２分割されている。中央部のワ−クロ−ルと非接触部と接触部とでは、ワ−クロ−ルの光沢や摩耗情況が異なり、表面性状や光沢の厳しい成品に対しては不十分である場合が発生する。　そこでこれら高級品の要請に応えるために、第２図（Ａ），（Ｂ）に示すようにロ−ルを変更することができる。第 ２ 図（Ａ），（Ｂ）に示すように第１図（Ａ）（Ｂ）に示すベアリング２１，２２ ，２１’，２２’の外側に円筒スリ−ブ５０を挿入する。」点が記載され、
　第４頁右下欄第５−１０行、および第４図に「ア−バ軸端には第４図に示すア−バ角度調整装置７０を設けた。この装置７０はア−バ１０にウオ−ムホイ−ル７１をキ−止めし、ウオ−ム７２をウオ−ムホイ−ル７１に係合させ、ハンドル７３を回転させることによってア−バ１０の角度調整を行う構造になっている」点が記載され、また、　第５頁左下欄第１９−２０行に「したがって、軽荷重圧延機ではスリ−ブ厚を薄くし、弾性変形を容易にする必要がある。」点が記載されている。
オ．対比・判断
　本件請求項１，２に係る発明と甲第１〜３号証の記載とを対比・検討するに、前記「（２）エ．」で述べたとおり甲第１号証、甲第３号証には前記構成要件Ａは示されていない。
  また、甲第２号証にも構成要件Ａは示されていない。
　そして、当該構成により、本件請求項１、２に係る発明は、従来技術の問題点を解決し前記「（２）エ．」のような、顕著な効果を奏するものであるから、本件請求項１、２に係る発明は、甲第１〜３号証に記載のものから当業者が容易に発明をすることができたものとはいえない。
  また請求項３に記載の発明は請求項２の発明をすべて備えた上で、さらに限定を加えたものであるから、この限定した構成が刊行物１〜３のいずれかに記載されているとしても、前記のとおり本件請求項２にかかる発明が前記刊行物１〜３に記載されたものに基づき当業者が容易に発明をすることができない以上本件請求項３に係る発明も、前記刊行物１〜３に記載のものから当業者が容易に発明をすることができたものではない。
カ．むすび
  したがって、特許異議の申立ての理由及び証拠によっては、本件請求項１、２、３に係る発明の特許を取り消すことはできない。
　また、他に本件請求項１、２、３に係る発明の特許を取消すべき理由を発見しない。
　よって結論のとおり決定する。
  平成１２年２月４日
【異議決定日】
平成１２年２月８日（２０００．２．８）
【訂正の要旨】
訂正の要旨
　訂正事項ａ．本件特許第２７３５３３０号発明の特許請求の範囲の請求項１、２の「ロールの中央部から板幅方向に対し左右対称に曲折部を単数または複数箇所に設けた鉄芯を備え、該鉄芯に複数の軸受を設け、該軸受の外周にゴムスリーブを装着」を、特許請求の範囲の減縮を目的として「ロールの中央部から板幅方向に対し左右対称に０．３°〜２°の角度を有するくの字の傾角を設けた曲折部を単数または複数箇所に設けた鉄芯を備え、該鉄芯に複数の軸受を設け、該複数の軸受外周のロール全長にわたる全面にゴムスリーブを装着」に訂正する。
　訂正事項ｂ．発明の詳細な説明の記載（出願明細書の第３ページ第１９行〜第４ページ第２行（特許公報第２ページ３欄第１８行〜第２１行））の「本発明の要旨とするところは、ロールの中央部から板幅方向に対し左右対称に曲折部を単数または複数箇所に設けた鉄芯を備え、該鉄芯に複数の軸受を設け、該軸受の外周にゴムスリーブを装着」を明りょうでない記載の釈明を目的として「本発明の要旨とするところは、ロールの中央部から板幅方向に対し左右対称に０．３°〜２°の角度を有するくの字の傾角を設けた曲折部を単数または複数箇所に設けた鉄芯を備え、該鉄芯に複数の軸受を設け、該複数の軸受外周のロール全長にわたる全面にゴムスリーブを装着」に訂正する。
　訂正事項ｃ．発明の詳細な説明の記載（出願明細書の第６ページ第１７行（特許公報第２ページ４欄第２１行））の「また、必要に応じてロール曲折部を左右対象」を誤記の訂正を目的として「また、必要に応じてロール曲折部を左右対称」に訂正する。
　訂正事項ｄ．発明の詳細な説明の記載（出願明細書の第６ページ第９、１４、１８行（特許公報第２ページ４欄第１４、１８、２２行））の「ゴム９」を明りょうでない記載の釈明を目的として「ゴムスリーブ９」に訂正する。
（５４）【発明の名称】
金属ストリップの蛇行防止用ロールおよび蛇行防止装置
（５７）【特許請求の範囲】
１．ロールの中央部から板幅方向に対し左右対称に
０．３°〜２°の角度を有するくの字の傾角を設けた
該複数の軸受外周のロール全長にわたる全面
２．ロールの中央部から板幅方向に対し左右対称に
０．３°〜２°の角度を有するくの字の傾角を設けた
該複数の軸受外周のロール全長にわたる全面
３．ロールの一端を軸に回動自在とする回動機構を設けてなる特許請求の範囲第２項記載の金属ストリップの蛇行防止装置。
【発明の詳細な説明】
（産業上の利用分野）
　本発明は、金属ストリップの蛇行防止用ロールおよびその装置に関するものである。
（従来の技術）
　従来、蛇行する金属ストリップ（以下、ストリップと略す）を真っ直ぐ走るように矯正する手段としては、第６図の（ａ）ロールクラウン、（ｂ）センサー油圧等によるロール位置修正装置で一般にステアリング装置と呼ばれる装置がよく用いられている。
　また、特殊な用途として第６図の（ｃ）に示すストリップを溜め込む横型ルーパー装置の分割型サポートロールのように、両サイドからストリップをセンターに走らせるようにロールが傾いている場合もある。
　更に、特開昭６２−１５８８２７号公報には、ストリップとロールとの接触部ヘガスを吹き込むことにより、ストリップの蛇行を矯正する方法も知られている。
（発明が解決しようとする課題）
　何れの従来技術にも一長一短があり、クラウンには板中央の張力アップから板に疵を付ける等で矯正力に限界がある。ステアリング装置はセンサー、油圧システムが必要なため高コストの装置になる。
　また、サポートロールのように平行度を変えるのは蛇行矯正効果が大きいので、ロールのアライメント修正等でよく利用されるが、分割ロールはストリップの品質が厳しいラインではロール境界部のマークが問題になる。
　更に、一本ロールの場合では常にセンタリングカは働かないし、アライメント修正にはライン停止を余儀なくされる。
　本発明は矯正力が大きく、方向性が確実なストリップの蛇行防止用ロールおよびその装置を提供するものである。
（課題を解決するための手段）
　本発明の要旨とするところは、ロールの中央部から板幅方向に対し左右対称に
０．３°〜２°の角度を有するくの字の傾角を設けた
該複数の軸受外周のロール全長にわたる全面
　即ち、本発明は矯正力が大きく、方向性が確実なロールアライメントによる矯正原理をベースにした装置であり、主な構成は第１図に示すように、走行ストリップ１とロール中央から、くの字３に曲がった一対のロール２と、チョックの一方を回動可能な機構６を持ち、更に一対のロール２はエアーシリンダー４、電動モーター５等の開閉機構により開閉するものである。
　ストリップ１を挟んだ一対の、くの字ロール２は常時センタリングカを鋼板に作用し、またロールは分割されていないので、鋼板のマーク、汚れを付けるなどの懸念は皆無である。
　もし、常時センタリングカでは矯正できない片寄りが生じたときには、挟んだままの状態で回動機構６により鋼板の片寄りを戻す方向に移動させることができる。
　本発明のロール形状は第２図（ａ）のロール曲折部３が中央部１箇所である、くの字型のみならず、第２図（ｂ）および（ｃ）で示すように、曲折部７を中央部または左右対称に複数有することにより、蛇行矯正能力を向上することができる。
　第３図（ａ）に、ロール一端の回動機構によるアライメント調整時の蛇行矯正のメカニズムを示すが、ロール一端の回動機構を動かすことにより、ストリップに伝わる力の向きのバランスを蛇行矯正方向に調整するものである。
　また、第３図（ｂ）に、一対のロールをストリップに挟むことによってのみ働く常時センタリング性能のメカニズムを示すが、ストリップ蛇行が生じた場合、ストリップ左右に対して本ロールと接触する範囲が異なるため、ストリップは蛇行と逆の方向にロールから力を受けて蛇行矯正するものである。
（実施例）
　本発明の実施例を第４図に、くの字ロールを例にとって述べる。
　第４図で上から下へ進行するストリップ１９を挟んだ一対の、くの字ロール８は、駆動モーターまたは非駆動で鋼板からの回転トルクにより回転することを前提とする。
　くの字ロール８は複数の軸受１１を、鉄芯１０とロール表面素材、一般的にはゴム
スリーブ
　鉄芯１０は、くの字の傾角を持つが、この角度は０．３°から２°程度の範囲で選定することが、蛇行矯正効果とロール一回転毎に引張り・圧縮の負荷を受けるゴム
スリーブ
　また、必要に応じてロール曲折部を左右対
称
スリーブ
　更に鉄芯１０の両軸端１３，１４はロール開閉のためのチョック１２，１７に取付けられているが、内一方はストリップ平行面内でシフト可能なようにチョック１７内には、もう一つのチョック１５を備えている。チョック１５はチョック１７にマウントされたジャッキ１６によりシフトできる。
　本発明のストリップ蛇行防止装置を連続焼鈍ラインに設置した場合のロールレイアウトを第５図（ａ）に示し、ライン上流側にあるステアリング装置２１を操作して、ストリップ２３のパスラインを強制的に移動させてテストした時の本装置２０の有無による下流側デフレクターロール２２への蛇行伝播状態を記したのが、第５図（ｂ），（ｃ）および（ｄ）である。
　第５図から常時センタリングのアライメントでは、約２０％の改善、ロールアライメントを操作した時は、約４０％の蛇行防止効果があることを示し、ラインの安定操業に寄与できる。
　本発明装置は、連続焼鈍ラインに留まらず全て薄板コイル通板ラインに適用を図ることができる。
（発明の効果）
　本発明のロールは曲折部を有するので蛇行矯正力が大きく、ロール一端の回動機構により方向性が確実なロールアライメントを得て、ラインの安定操業に寄与できる。
【図面の簡単な説明】
　第１図は本発明のストリップ蛇行防止装置を示す斜視図、第２図（ａ）は本発明の蛇行防止用ロールの平面図、第２図（ｂ）は本発明の他の例の蛇行防止用ロールの平面図、第２図（ｃ）は本発明の更に他の例の蛇行防止用ロールの平面図、第３図（ａ）は本発明装置の回動機構を備えて蛇行を矯正するメカニズムを示す説明図、第３図（ｂ）は常時センタリング性能のメカニズムを示す説明図、第４図は本発明のストリップ蛇行防止装置の断面図、第５図（ａ）は本発明装置を連続焼鈍ラインに設置した場合のロールレイアウトを示す説明図、第５図（ｂ）は本発明装置が無い場合の蛇行伝播状態を示す説明図、第５図（ｃ），（イ），（ロ）は本発明装置を設置した場合の常時センタリング効果を示す説明図、第５図（ｄ），（イ），（ロ）は本発明装置を設置した場合の回動機構を調整操作による効果を示す説明図、第６図（ａ），（ｂ）および（ｃ）は、従来用いられている蛇行防止装置を示す説明図で、（ａ）はクラウンロール図、（ｂ）はステアリング装置図、（ｃ）は分割型サポートロール図である。